(57)【要約】【課題】ヘルメット単体に取り付けるだけで、そのヘルメットを首部以外に支持してもらうことができる作業用ヘルメットの補助部材を提供すること。【解決手段】上方を仰ぎ見る作業中に身に着けておく作業用ヘルメット１００の補助部材１０であって、作業用ヘルメットの後頭部１０１側に連設される連設部１１と、該連設部から連続して延在する湾曲部２１と、該湾曲部に連続して監督者Ｍの肩部Ｓ間に突き当たる突当部３１と、を備えており、監督者が上方を仰ぎ見る際に当該肩部間に突当部が突き当たって連設部に後頭部側を連設されている作業用ヘルメットを該監督者の首部Ｎと共に湾曲部を介して支持する。【選択図】図１
2012082558.tif 000002
【特許請求の範囲】
【請求項１】
上方を仰ぎ見る作業中に身に着けておく作業用ヘルメットの補助部材であって、
作業用ヘルメットの後頭部側に連設される連設部と、該連設部から連続して延在する延在部と、該延在部に連続して作業者の肩間に突き当たる突当部と、を備えており、
前記作業者が上方を仰ぎ見る際に当該作業者の肩間に前記突当部が突き当たって前記連設部に後頭部側を連設されている前記作業用ヘルメットを該作業者の首と共に前記延在部を介して支持することを特徴とする作業用ヘルメットの補助部材。
【請求項２】
前記延在部は、前記連設部との間、あるいは、当該連設部側の近傍に、前記作業用ヘルメットに対して揺動することを許容する揺動手段を介在させていることを特徴とする請求項１に記載の作業用ヘルメットの補助部材。
【請求項３】
前記延在部は、前記連設部と前記突当部の間の長さを調整する機能を備えることを特徴とする請求項１または２に記載の作業用ヘルメットの補助部材。
【請求項４】
前記連設部は、前記作業用ヘルメットの前記後頭部側の縁部に着脱する機構を介して当該後頭部側に連設されていることを特徴とする請求項１から３のいずれかに記載の作業用ヘルメットの補助部材。
【請求項５】
前記連設部は、前記作業用ヘルメットと前記作業者の頭部との間に介在する内帽子の後頭部側に、または、前記作業用ヘルメットに被せる外帽子の後頭部側に配設されることにより、当該後頭部側に連設されることを特徴とする請求項１から３のいずれかに記載の作業用ヘルメットの補助部材。
【発明の詳細な説明】
【技術分野】
【０００１】
本発明は、作業用ヘルメットの補助部材に関し、詳しくは、ヘルメットを首部以外でも支持できるようにするものに関する。
【背景技術】
【０００２】
各種作業を行う際には、頭部に落下物などが不意に当たって大きな事故になることを回避するために、ヘルメットを被ることが推奨または義務になっているが、そのヘルメットも重量があるために、その重量により却って首部に負担を掛けてしまう場合がある。このため、多種の工夫がなされている。
【０００３】
例えば、自動車レースの場合には、レーサーがヘルメットを着用する義務があり、そのヘルメットによる首部へのダメージを少なくするために、ヘルメットを身体のシートベルトと同様にベルト状部材に結合して、衝突時の衝撃を軽減することが提案されている（例えば、特許文献１）。
【０００４】
また、オートバイの場合にも、ライダーがヘルメットを着用する義務があるが、オートバイの場合には転倒時のダメージを少なくするために、ライダーウェアの肩部に固定板を固定するとともに、ヘルメットにはその固定板に連結するガード部材を取り付けて、転倒時の衝撃が全て首部に加わることを軽減することが提案されている（例えば、特許文献２）。
【０００５】
その一方で、人間の頭部は重量があって、例えば、天体観測などをする際に上向きの姿勢を取ると、首部に加わる負担が大きくその姿勢を継続することが困難であることから、ランドセルのように形状維持できるしっかりしたバックを背負うと共に、その上に枕状の部材を載置することが提案されている（例えば、特許文献３）。
【先行技術文献】
【特許文献】
【０００６】
【特許文献１】特開平８−７２６６９号公報
【特許文献２】実公平６−１６８８３号公報
【特許文献３】特開２００８−３８３１７号公報
【発明の概要】
【発明が解決しようとする課題】
【０００７】
しかしながら、この特許文献１、２に記載のものあっては、同じ姿勢を取る場合には大きく頭部や肩部などを動かす必要がないことから問題はないかもしれないが、ヘルメットを椅子側や背中側などに固定することになることから、逆に身体が拘束されてしまい、多種多様の作業を行う場合には適さない。
【０００８】
また、特許文献３に記載のものにあっては、ヘルメット以外に、背負いバッグと共に枕状部材を準備しなければならず、また作業面においても、背中に装着する部材が作業者の周囲の空間を占有することから、狭隘場所での作業では、支障となる場合も発生する。
【０００９】
そこで、本発明は、ヘルメット単体に取り付けるだけで、そのヘルメットを首部以外に支持してもらうことができる作業用ヘルメットの補助部材を提供することを目的としている。
【課題を解決するための手段】
【００１０】
上記課題を解決する作業用ヘルメットの補助部材の発明は、上方を仰ぎ見る作業中に身に着けておく作業用ヘルメットの補助部材であって、作業用ヘルメットの後頭部側に連設される連設部と、該連設部から連続して延在する延在部と、該延在部に連続して作業者の肩間に突き当たる突当部と、を備えており、前記作業者が上方を仰ぎ見る際に当該作業者の肩間に前記突当部が突き当たって前記連設部に後頭部側を連設されている前記作業用ヘルメットを該作業者の首と共に前記延在部を介して支持することを特徴とするものである。
【００１１】
この発明では、作業者が上方を仰ぎ見る際には、作業用ヘルメットの後頭部側の連設部に延在部を介して連続する突当部が作業者の肩間に突き当たって、そのヘルメットを首部と共に支持することができる。したがって、上方を仰ぎ見る際の頭部やヘルメットの重量を首部だけでなく肩部にも支持させることができ、首部への負担を軽減することができる。
【発明の効果】
【００１２】
このように本発明によれば、作業者が上方を仰ぎ見る際の頭部と作業用ヘルメットは、後頭部側の連設部、延在部、突当部からなる補助部材により首部と共に支持することができ、頭部やヘルメットの重量による首部への負担を軽減することができる。したがって、ヘルメット単体に補助部材を取り付けるだけで、そのヘルメットを首部以外の肩部間にも支持してもらうことができ、上方を仰ぎ見る作業を負担なく継続することができる。
【図面の簡単な説明】
【００１３】
【図１】本発明に係る作業用ヘルメットの補助部材の第１実施形態を示す図であり、その作業用ヘルメットに取り付けた状態を示す側面図である。
【図２】その作業用ヘルメットの補助部材の全体構成を示す拡大側面断面図である。
【図３】本発明に係る作業用ヘルメットの補助部材の第２実施形態を示す図であり、その要部構成を示す拡大側面図である。
【図４】本発明に係る作業用ヘルメットの補助部材の第３実施形態の要部構成を示す図であり、（ａ）は取り付け前の状態を示す平面図、（ｂ）はその取り付け後の状態を示す平面図である。
【図５】その第３実施形態の他の態様を示す図であり、（ａ）はその第１の他の態様を作業用ヘルメットに取り付けた状態を示す側面図、（ｂ）はその第２の他の態様を作業用ヘルメットに取り付けた状態を示す側面図である。
【発明を実施するための形態】
【００１４】
本発明の実施形態としては、上記の課題解決手段のように、上方を仰ぎ見る作業中に身に着けておく作業用ヘルメットの補助部材であって、作業用ヘルメットの後頭部側に連設される連設部と、該連設部から連続して延在する延在部と、該延在部に連続して作業者の肩間に突き当たる突当部と、を備えており、前記作業者が上方を仰ぎ見る際に当該作業者の肩間に前記突当部が突き当たって前記連設部に後頭部側を連設されている前記作業用ヘルメットを該作業者の首と共に前記延在部を介して支持することを基本構成とするのに加えて、次の構成を備えてもよい。
【００１５】
第１の形態としては、前記延在部は、前記連設部との間、あるいは、当該連設部側の近傍に、前記作業用ヘルメットに対して揺動することを許容する揺動手段を介在させてもよい。
【００１６】
この形態では、作業用ヘルメットの後頭部側で延在部と突当部が揺動することができ、上方を仰ぎ見るために必要な際には、揺動させて突当部を作業者の肩部間に突き当てればよく、また、上方を仰ぎ見る作業以外で不要な場合に邪魔になってしまうことがなく、また、真上などより大きく仰ぎ見る姿勢を取ることもできる。
【００１７】
第２の形態としては、前記延在部は、前記連設部と前記突当部の間の長さを調整する機能を備えていてもよい。
【００１８】
この形態では、作業用ヘルメットの後頭部側の延在部を操作して連設部と突当部の間の長さを調整することができ、例えば、仰ぎ見る角度に応じて適度に調整してより快適に作業することができる。
【００１９】
第３の形態としては、前記連設部は、前記作業用ヘルメットの前記後頭部側の縁部に着脱する機構を介して当該後頭部側に連設されていてもよい。
【００２０】
この形態では、作業用ヘルメットの後頭部から不要なときには外すことができ、作業の邪魔になってしまうことを回避することができる。
【００２１】
第４の形態としては、前記連設部は、前記作業用ヘルメットと前記作業者の頭部との間に介在する内帽子の後頭部側に、または、前記作業用ヘルメットに被せる外帽子の後頭部側に配設されることにより、当該後頭部側に連設されていてもよい。
【００２２】
この形態では、ヘルメット内に内帽子を被るだけで、あるいは、ヘルメットに外帽子を被せるだけで、ヘルメットの後頭部側に補助部材を容易に装着することができる。
【００２３】
第５の形態としては、前記突当部の先端には、滑り止め手段を設けて、前記作業者の前記肩間に安定して位置させるようにしてもよい。
【００２４】
第６の形態としては、前記突当部の先端には、弾性手段を設けて、前記作業者の前記肩間に突き当たる衝撃を低減するようにしてもよい。
【００２５】
第７の形態としては、前記連設部は、前記作業用ヘルメットの後頭部側を差し込む溝形状が形成されている弾性材料により作製されており、当該後頭部への取付前には前記溝形状が直線状に延在していて、取付時には前記溝形状を該後頭部の形状に合わせるように湾曲させて、取付後には当該弾性復帰力で該後頭部の側面に圧接して取り付け状態を維持するようにしてもよい。
【００２６】
以下、図面を参照して、本発明の実施形態について詳細に説明する。図１および図２は本発明に係る作業用ヘルメットの補助部材の第１実施形態を示す図である。
【００２７】
図１において、補助部材１０は、頭部に落下物などが不意に当たって大きな事故になることを回避するために被る作業用ヘルメット（安全帽）１００の後頭部１０１に取り付けるものである。作業用ヘルメット１００は、例えば、送電線の点検やメンテナンス等の作業を監視する監督者Ｍが被る場合、その作業自体が高所作業車のバケットに乗って送電線付近の高所で行われる一方、その監督者（作業者）Ｍは、地上にいるために上方を仰ぎ見る姿勢になって、首部Ｎに加わる負担が大きくその姿勢を継続することが困難であるために、補助部材１０を取り付ける。
【００２８】
この補助部材１０は、作業用ヘルメット（以下では、単にヘルメットともいう）１００の後頭部１０１側の端辺部１０１ａに連続する形態で設けられる連設部１１と、この連設部１１に連続してヘルメット１００を被る監督者Ｍの肩部Ｓの間に向かって湾曲する形状で延在する湾曲部（延在部）２１と、この湾曲部２１に連続して監督者Ｍの肩部Ｓの間に突き当てた状態になる突当部３１とを、弾性を有する硬質の樹脂材料などによりそれぞれ作製して組み立てられており、上方を仰ぎ見る監督者Ｍが被るヘルメット１００を首部Ｎと共に、これらの連設部１１、湾曲部２１および突当部３１を介して支持するようになっている。ここで、湾曲部２１は、湾曲形状に形成するが、これに限るものではなく、単にヘルメット１００の後頭部１０１から監督者Ｍの肩部Ｓの間に向かうように、少なくとも１箇所以上で折れ曲がる形状に形成されて延在する延在部としてもよい。
【００２９】
これにより、補助部材１０は、監督者Ｍが作業を監視するために上方を仰ぎ見る際には、ヘルメット１００を首部Ｎと共に支持することができ、監督者Ｍの被るヘルメット１００の重量を首部Ｎだけでなく肩部Ｓの間にも支持させることができ、首部Ｎへの負担を軽減することができる。
【００３０】
具体的には、図２に示すように、連設部１１は、ヘルメット１００の後頭部１０１の端辺部１０１ａを挟み込むコ字形状に形成されており、コ字の一方の対面部１２は、ヘルメット１００の内側に位置させる一方、その他方の対面部１３には、ヘルメット１００の外側に位置してコ字の連結部１４側に湾曲部２１が一体形成されるとともに、その隣接位置には貫通穴１３ａが開口して蝶ネジボルト１５を螺合させる雌ネジナット１６が固設されている。
【００３１】
これにより、連設部１１は、他方の対面部１３側の雌ネジナット１６に蝶ネジボルト１５を螺合させて貫通穴１３ａを貫通させることにより、その蝶ネジボルト１５の先端をヘルメット１００の端辺部１０１ａに突き当てて固定することができ、補助部材１０が不要なときには蝶ネジボルト１５を緩めて外すことにより邪魔になってしまうことがないようにすることができる。要するに、補助部材１０は、この連設部１１を設けることなく、ヘルメット１００に常時連設されている状態に固設してもよいが、邪魔な場合もあることから、本実施形態のように着脱できるように連設部１１を設ける方が有利である。
【００３２】
また、この連設部１１は、一方の対面部１２をヘルメット１００の端辺部１０１ａと監督者Ｍの頭部Ｈとの間に差し込んだ形態にしてその間の隙間を埋めた状態にすることができ、ヘルメット１００だけでなく監督者Ｍの頭部Ｈをも湾曲部２１および突当部３１を介して支持することができる。
【００３３】
湾曲部２１は、連設部１１の対面部１３の連結部１４側から略直交方向に突出してヘルメット１００から離隔する方向（下方）に一定の曲率で湾曲しつつ延長されている延長部２２と、この延長部２２を内部に収納可能に同一の曲率で湾曲する筒形状に形成されている収納部２６と、を組み立てることにより作製されている。この延長部２２の先端側には、一対の突起部材２３が埋没可能にスプリング２４により付勢されて両面側に突出する一方、収納部２６の内面には、内部に収納する延長部２２の両面側に突出する突起部材２３を嵌め込み可能な窪み穴２７がその延長方向に連続する複数の対面箇所に形成されている。
【００３４】
これにより、湾曲部２１は、延長部２２を収納部２６内に差し込んで突起部材２３の埋没・突出を繰り返させて所望の位置の窪み穴２７に嵌め込んで収納深さを変えることにより、湾曲部２１の全長を伸縮自在にすることができ、使用する監督者Ｍの仰ぎ見る角度や骨格・体型に合わせて全長を調整することによりヘルメット１００を補助部材１０により快適に支持する状態にすることができる。ここで、この延長部２２および収納部２６は、突起部材２３の突出高さや、スプリング２４の付勢力や、窪み穴２７の形状を、監督者Ｍの頭部Ｈやヘルメット１００を支持するのに必要な力では突起部材２３が埋没してしまわないように設定すればよく、全長を調整する際にそれ以上に力が加えられたときにその突起部材２３が埋没するようにすればよい。
【００３５】
突当部３１は、収納部２６の先端を延長した形状に、連設部１１や湾曲部２１を構成する弾性を有する硬質の樹脂材料よりも弾性が大きい樹脂材料やゴム材料により作製されており、湾曲部２１の収納部２６の先端側（延長部２２の差込側の反対側）に取付穴２８が形成されているのに対して、その取付穴２８に差し込んで接着剤などにより固定する差込突起３２が形成されているとともに、その差込突起３２の反対側（収納部２６の延長側）は、断面が鋸歯状になる滑り止め面（滑り止め手段）３３に形成されている。
【００３６】
これにより、突当部３１は、監督者Ｍが上方を仰ぎ見る際に、補助部材１０の先端側の滑り止め面３３を肩部Ｓ間に突き当てて支持する状態にしたときには、滑ることなく安定した支持状態を維持することができ、このとき、この突当部３１は、弾性手段としても機能して、大きく弾性変形することにより突き当たる際の衝撃を弱めることができる。
【００３７】
ここで、補助部材１０は、円形または四角の断面となる棒状に形成して肩部Ｓの間の一点に突当部３１を突き当てて支持するようにしてもよく、また、一定幅を有する板状に形成して肩部Ｓの間に一定幅の突当部３１を突き当てて支持するようにしてもよい。
【００３８】
このように本実施形態においては、監督者Ｍが上方を仰ぎ見る姿勢で作業する際には、ヘルメット１００の後頭部１０１側に補助部材１０の連設部１１を取り付けることにより、突当部３１がその監督者Ｍの肩部Ｓ間に突き当たって、湾曲部２１を介して首部Ｎと共にヘルメット１００を支持することができ、上方を仰ぎ見る際の頭部Ｈやヘルメット１００の重量による首部Ｎへの負担を軽減することができる。したがって、ヘルメット１００単体に補助部材１０を取り付けるだけで、そのヘルメット１００を首部Ｎ以外の肩部Ｓの間にも支持してもらうことができ、上方を仰ぎ見る作業を負担なく継続することができる。
【００３９】
次に、図３は本発明に係る作業用ヘルメットの補助部材の第２実施形態を示す図である。ここで、本実施形態は、上述実施形態と略同様に構成されているので、同様の構成には同一の符号を付して特徴部分を説明する（以下で説明する他の実施形態においても同様）。
【００４０】
図３において、補助部材１０の湾曲部２１は、延長部２２が連設部１１側に近接する箇所を回動軸（揺動手段）４１により回動（揺動）自在に連設されており、その回動軸４１を中心にして揺動可能な吊り下げた状態でヘルメット１００に取り付けることができるようになっている。ここで、本実施形態では、回動軸４１により延長部２２（湾曲部２１）を揺動自在にするが、これに限るものではなく、弾性に優れるゴム材料などを介在させることにより揺動自在にしてもよい。
【００４１】
これにより、湾曲部２１は、連設部１１の近傍で延長部２２と収納部２６を揺動可能な状態にすることができ、補助部材１０を利用する際には監督者Ｍの首部Ｎ側に向けて回動させつつ上方を仰ぎ見ることにより突当部３１をその肩部Ｓの間に突き当てて支持する状態にすることができる一方、補助部材１０が不要なときにはフリーな状態にすることにより自由に揺動してヘルメット１００の後頭部１０１側に吊り下げた状態にすることができ、邪魔になることがない。
【００４２】
このように本実施形態においては、上述実施形態による作用効果に加えて、補助部材１０をヘルメット１００の後頭部１０１側で揺動自在に吊り下げた状態にすることができ、使用する際には、監督者Ｍの肩部Ｓの間に突当部３１が突き当たるように補助するだけで利用することができる一方、不要な際には、突当部３１を突き当てる状態にすることなく、そのまま吊り下げた状態にして通常の作業や真上など見上げる姿勢を取ることもできる。
【００４３】
次に、図４は本発明に係る作業用ヘルメットの補助部材の第３実施形態を示す図である。
図４において、補助部材１０の連設部１１は、上述実施形態における蝶ネジボルト１５や雌ネジナット１６を省略して、取り付け前にはヘルメット１００の後頭部１０１の周縁の接線方向と平行な直線的に延在する長尺な幅広の断面コ字形状に形成されており、装着時に湾曲させることによりヘルメット１００の後頭部１０１側を差込可能にする直線状の溝形状５１ａがコ字の対面部５２と対面部５３の間に形成されている。
【００４４】
これにより、連設部１１は、湾曲させて溝形状５１ａ内にヘルメット１００の後頭部１０１側を差し込んで、一方の対面部５２はヘルメット１００の内側に位置させる一方、他方の対面部５３をヘルメット１００の外面側に位置させた状態にして弾性復帰させることにより、その後頭部１０１の内面と外面の対面部５２、５３を圧接させて取り付け状態を維持することができる。
【００４５】
このように本実施形態においては、上述実施形態による作用効果に加えて、ネジ止めすることなく、容易に補助部材１０を着脱することができる。
【００４６】
また、上述第３実施形態の第１の他の態様としては、図５（ａ）に示すように、補助部材１０の連設部１１は、蝶ネジボルト１５や雌ネジナット１６を省略するとともに、ヘルメット１００の内部で頭部Ｈに被る内帽子６１の後頭部６２に対面部１２を連結させてもよい。この場合には、その内帽子６１を被ってヘルメット１００を装着するだけで、その後頭部１０１、６２側に補助部材１０が連設されている状態に容易にすることができ、そのまま突当部３１を監督者Ｍの肩部Ｓ間に突き当てて連設部１１や湾曲部２１を介して首部Ｎと共にヘルメット１００を支持することができる。
【００４７】
また、上述第３実施形態の第２の他の態様としては、図５（ｂ）に示すように、補助部材１０の連設部１１は、蝶ネジボルト１５や雌ネジナット１６を省略するとともに、ヘルメット１００自体に被せる外帽子７１の後頭部７２に対面部１３を連結させてもよい。この場合には、ヘルメット１００を被ってその上に外帽子７１を装着するだけで、その後頭部１０１、７２側に補助部材１０が連設されている状態に容易にすることができ、そのまま突当部３１を監督者Ｍの肩部Ｓ間に突き当てて連設部１１や湾曲部２１を介して首部Ｎと共にヘルメット１００を支持することができる。
【産業上の利用可能性】
【００４８】
これまで本発明の一実施形態について説明したが、本発明は上述の実施形態に限定されず、その技術的思想の範囲内において種々異なる形態にて実施されてよいことは言うまでもない。
【符号の説明】
【００４９】
１０……補助部材      １１……連設部      １２、１３、５２、５３……対面部      １５……蝶ネジボルト      １６……雌ネジナット      ２１……湾曲部      ２２……延長部      ２３……突起部材      ２４……スプリング      ２６……収納部      ２７……窪み穴      ３１……突当部      ３３……滑り止め面      ４１……回動軸      ５１ａ……溝形状      ６１……内帽子      ６２、７２……後頭部      ７１……外帽子      １００……作業用ヘルメット      １０１……後頭部      １０１ａ……端辺部      Ｈ……頭部      Ｍ……監督者      Ｎ……首部      Ｓ……肩部
【図１】
2012082558.tif 000003
【図２】
2012082558.tif 000004
【図３】
2012082558.tif 000005
【図４】
2012082558.tif 000006
【図５】
2012082558.tif 000007